(57)【要約】      （修正有）【課題】  閉止状態では開き戸の外側に施解錠操作用ハンドルのような突出物のない美的外観を得られる一方、開き戸を外側から容易に施解錠することができる開き戸の施解錠機構を提供する。【解決手段】開き戸Ｄには、その外側へ臨む鍵操作用の小穴１４を設け、その小穴位置の内側にロック制御装置Ｒを取り付ける。ロック制御装置には、シリンダ錠１５のシリンダに内挿されプラグと一体に回動するジョイント棒と、中心穴にジョイント棒の先端部を嵌挿してシリンダ２６の鍵穴１６を有した端面とは反対側の端面に重ねて連結するアジャストカラー４０とを設けた。ジョイント棒とアジャストカラーを、開き戸の扉厚さの違いに応じてそれぞれ棒長さとカラーの厚さを違えて複数組備え、開き戸に取り付けるときに開き戸の扉厚さの違いに合わせてアジャストカラーとそれに対応するジョイント棒を組み替えて、シリンダ錠のシリンダ長を調整可能にした。【選択図】図１
2007120139.tif 000002
【特許請求の範囲】
【請求項１】
多数の壁面パネルを貼り付けて面一に構築した壁体の開口部を開閉する開き戸を施解錠するための開き戸の施解錠機構であって、
前記開き戸には、その外側へ臨む鍵操作用の小穴を設け、その小穴位置の内側にロック制御装置を取り付け、
該ロック制御装置は、それを取り付けるときシリンダにあいた鍵穴を前記鍵操作用小穴に合わせて前記開き戸の厚さ方向に挿設するシリンダ錠と、前記鍵操作用小穴を通して該シリンダ錠の前記鍵穴に回転自在に抜き差しする鍵棒と、該鍵棒を差し込んで前記シリンダ内でプラグを正逆方向に回転させると、その回転に基づいて前記開き戸を施錠するロック位置と解錠するロック解除位置間を往復移動する錠杆とを備え、
前記シリンダ錠は、基端部を前記シリンダ内で前記プラグに、先端部を該プラグの回転を前記錠杆へ伝達する回転伝達手段にそれぞれ回転伝達可能に連結したジョイント棒と、該ジョイント棒の先端部をカラー中心穴に通して前記シリンダの前記鍵穴を有する端面とは反対側の端面に重ねて連結保持するアジャストカラーとを、前記開き戸の扉厚さの違いに応じてそれぞれ棒長さとカラー厚さを違えて複数組備え、前記ロック制御装置を前記開き戸に取り付けるとき、その開き戸の扉厚さの違いに合わせて、前記アジャストカラーとそれに対応する前記ジョイント棒を組み替えてシリンダ長を調整可能としてなることを特徴とする、開き戸の施解錠機構。
【請求項２】
前記錠杆が前記鍵棒の正逆方向の回転に基づいて直線移動して前記開き戸を施解錠するデッドボルトである、請求項１に記載の開き戸の施解錠機構。
【請求項３】
前記錠杆が前記鍵棒の正逆方向の回転に基づいて回動して前記開き戸を施解錠するロックレバーである、請求項１に記載の開き戸の施解錠機構。
【発明の詳細な説明】
【技術分野】
【０００１】
本発明は、多数の壁面パネルを貼り付けて面一に形成した壁体の開口部を開閉する開き戸を施解錠するのに好適な開き戸の施解錠機構に関する。
【背景技術】
【０００２】
最近のビル建築物では、多数の金属製壁面パネルを貼り付けて、出っ張りなく一面フラットに室内壁を形成するため、その壁の開口部を開閉する開き戸も、開口部の用途に応じて、例えば設備の点検口のように、一見して壁のように見せたい開き戸の設置箇所では、施解錠操作のドアハンドルのような突起物が表の外側に出っ張らない外観であることが要請されている。そこで、従来の開き戸の施解錠機構の中には、ケースハンドルを用いて扉の表の外側からドアハンドルが大きく突出しないような構造にしたり、配電盤の収納箱の扉のように扉を開ける使用時にドアハンドルを取り付け、その不使用時にはドアハンドルを取り外すようにした構造のものがある（特許文献１参照）。
【特許文献１】特開平９−１００６５７号公報
【発明の開示】
【発明が解決しようとする課題】
【０００３】
しかし、従来、ケースハンドルを用いた例では、扉面からケースハンドル自体の存在が目立ってしまうし、ドアハンドルが着脱式のものでは、扉を開ける際にドアハンドルを引き抜くと、それが抜け落ちてしまう等の課題があった。
【０００４】
そこで、本発明の目的は、閉止状態では開き戸の外側に施解錠操作用ハンドルのような突出物のない美的外観を得られる一方、開き戸を外側から容易に施解錠することができる開き戸の施解錠機構を提供することにある。
【０００５】
そこで、上記した目的を達成すべく、請求項１に記載の発明は、たとえば以下に示す図示実施の形態のとおり、多数の壁面パネルｗ１・ｗ２・ｗ３…を貼り付けて面一に構築した壁体Ｗの開口部Ｓを開閉する開き戸Ｄ・Ｄ´を施解錠するための開き戸の施解錠機構であって、前記開き戸Ｄ・Ｄ´には、その外側へ臨む鍵操作用の小穴１４を設け、その小穴位置の内側にロック制御装置Ｒを取り付け、該ロック制御装置Ｒは、それを取り付けるときシリンダ２６にあいた鍵穴１６を前記鍵操作用小穴１４に合わせて前記開き戸Ｄ・Ｄ´の厚さ方向に挿設するシリンダ錠１５と、前記鍵操作用小穴１４を通して該シリンダ錠１５の前記鍵穴１６に回転自在に抜き差しする鍵棒２０と、該鍵棒２０を差し込んで前記シリンダ２６内でプラグ２８を正逆方向に回転させると、その回転に基づいて前記開き戸Ｄ・Ｄ´を施錠するロック位置と解錠するロック解除位置間を往復移動するデッドボルト２５のような錠杆とを備え、前記シリンダ錠１５は、基端部を前記シリンダ２６内で前記プラグ２８に、先端部を該プラグ２８の回転を前記錠杆へ伝達する回転伝達手段３０にそれぞれ回転伝達可能に連結したジョイント棒２９・３９と、該ジョイント棒２９・３９の先端部をカラー中心穴３２に通して前記シリンダ２６の前記鍵穴１６を有する端面とは反対側の端面に重ねて連結保持するアジャストカラー４０・５０とを、前記開き戸Ｄ・Ｄ´の扉厚さの違いに応じてそれぞれ棒長さとカラー厚さを違えて複数組備え、前記ロック制御装置Ｒを前記開き戸Ｄ・Ｄ´に取り付けるとき、その開き戸Ｄ・Ｄ´の扉厚さの違いに合わせて、前記アジャストカラー４０・５０とそれに対応する前記ジョイント棒２９・３９を組み替えてシリンダ長を調整可能としてなることを特徴とする。
【０００６】
請求項２に記載の発明は、請求項１に記載の開き戸の施解錠機構において、たとえば以下に示す図示実施の形態のとおり、前記錠杆が前記鍵棒２０の正逆方向の回転に基づいて直線移動して前記開き戸Ｄ・Ｄ´を施解錠するデッドボルト２５であることを特徴とする。
【０００７】
請求項３に記載の発明は、請求項１に記載の開き戸の施解錠機構において、たとえば以下に示す実施の形態のとおり、前記錠杆が前記鍵棒の正逆方向の回転に基づいて回動して前記開き戸を施解錠するロックレバーであることを特徴とする。
【発明の効果】
【０００８】
本発明によれば、開き戸の外側には、施解錠操作用にハンドル等の突起物が設けられない構成なので、閉止状態において、一見すると壁のように見える開き戸を設置した美的外観を得ることができる。一方で、施解錠時は鍵操作用の小穴を通して鍵棒を鍵穴に差し込んで錠前内部で正逆方向に回動操作すれば、開き戸を外側から容易に施解錠することができる。
【０００９】
加えて、本発明によれば、ロック制御装置を開き戸に取り付けるとき、シリンダ錠は、開き戸の扉厚さの違いに合わせて、アジャストカラーとそれに対応するジョイント棒を組み替えてシリンダ長を調整可能な構成であるため、シリンダ錠は非常に高価なロック構成部品であるが、扉厚さの異なる開き戸に取り付けるたびに、その都度、シリンダ長の違うシリンダ錠を調達してロック制御装置に付設する必要がなく、扉厚さの異なる開き戸に対し、常に同じシリンダ錠を組み付けてロック制御装置を取り付けることができ、その結果、コストを著しく低減させることができる。
【発明を実施するための最良の形態】
【００１０】
以下、図面を参照しつつ、本発明の最良の実施形態について説明する。
【００１１】
図１（Ａ）は、本発明による開き戸の施解錠機構を適用した壁体を、開き戸の閉止状態において示し、同図（Ｂ）は開状態において示す平面図である。壁体Ｗは、たとえば多数のスチール製壁面パネルｗ１・ｗ２・ｗ３…を貼り付けて面一に構築した室内壁で、中間の壁面パネルＷ２に、たとえば室内設備の点検口となる開口部Ｓを開閉する、開き戸Ｄを組み付けてなる。さらに、壁体Ｗは、隣接する壁面パネル間に、パネル相互を接続して支持する鉛直な間柱Ｐを備え、これら間柱Ｐの外側（図中手前側）には、壁面パネル相互の継目に僅かな隙間のあいた立て目地１０・１１が形成されている。
【００１２】
図示例の開き戸Ｄは、扉厚さがＴ１で、片側側縁１２ａの内側に凸状の戸当たり部１２ｂを設け、閉止状態において、開口部Ｓに収まって壁体Ｗと面一になるように、他側側縁１２ｃ側の間柱Ｐに蝶番１３により開閉自在に取り付けられている。そのため、蝶番１３は、それが開き戸Ｄと壁面パネルｗ３間の目地部１１から外側へ出っ張らないように、開き戸Ｄの他側側縁１２ｃと間柱Ｐ間の隙間に収まるように取り付けて内設している。そこで、図示例の開き戸の施解錠機構では、特に開き戸Ｄに、外側へ向けて臨む鍵操作用の小穴１４を設けている。一方、小穴１４を開けた位置で、その開き戸Ｄの内側（図中奥側）にロック制御装置Ｒを取り付けてなる。
【００１３】
ロック制御装置Ｒは、図２〜図４に示すように、取付ケースｍと、取付ケースｍに組み付けるロック構成部品ｎとを備え、ロック構成部品ｎには、シリンダ錠１５、シリンダ錠１５の鍵穴１６に抜き差して回動操作する専用の鍵棒２０、開き戸Ｄの開閉をロックする錠杆としてのデッドボルト２５、デッドボルト２５とシリンダ錠１５間で回転を伝達する回転伝達手段３０、圧縮コイルスプリングの付勢ばね３５などを有する。
【００１４】
取付ケースｍは、金属板を片側開放のやや横長箱形に曲げ成形したケース本体１８と、ケース本体１８に被せるカバープレート１９とからなる。ケース本体１８は、前側板部１８ａにデッドボルト２５が出入りする切欠き穴２１を形成する一方、幅広な底板部１８ｂに、その長さ方向に長い摘み操作用の逃げ穴２２を設けると共に逃げ穴２２の幅方向両側に一対のストッパ用スタッド２３を立てて固定してなる。スタッド２３は、中心軸穴２３ａがネジ止め用の雌ねじ穴からなる。一方、カバープレート１９には、シリンダ錠１５の設置位置に丸い軸挿通穴１９ａがあけられている。
【００１５】
シリンダ錠１５は、図５に示すように、鍵棒２０を用いて、シリンダ２６内の複数本のピンタンブラー２７を動かしてプラグ２８を回し、プラグ２８と同軸に回転自在に内挿したジョイント棒２９を回動する錠前構造になっている。そのため、ジョイント棒２９は、樹脂材料で円柱状に成形するが、特に基端部２９ａを、図６（Ａ）でも示すように、回転伝達用に周面の一部が平面の異形な凸状に形成する一方、先端部２９ｂには端面から軸方向に矩形なカム係合穴３１を設けてなる。そして、基端部２９ａを、シリンダ２６内で対応する矩形穴部２８ａに係合させてプラグ２８に回転伝達可能に連結する一方、先端部２９ｂを、カラー中心穴３２に嵌挿してシリンダ２６の鍵穴１６を有した端面と反対側の端面２６ａに重ねてアジャストカラー４０を連結保持した構成になっている。そのため、アジャストカラー４０は、樹脂製で、ジョイント棒２９の軸径に合わせてカラー中心穴３２をあけたドーナツ形に成形し、外径をシリンダ２６に合わせて形成している。特にカラー厚さｔ１は、シリンダ２６の端面２６ａに重ねて保持したときシリンダ長Ｃ１が前記開き戸Ｄの扉厚さＴ１と一致する厚さ寸法になるように形成している（図１（Ａ）参照）。従って、ジョイント棒２９も、棒長さＬ１を、アジャストカラー４０をシリンダ２６の端面２６ａに重ねて保持したとき、基端部２９ａがシリンダ２６内でプラグ２８の矩形穴部２８ａに係合する一方、先端部２９ｂがカラー中心穴３２と嵌合し、そのカラー中心穴３２の穴開口にカム係合穴３１の開口が一致するような長さ寸法に形成してなる（図５参照）。
【００１６】
そこで、本発明のロック制御装置Ｒは、これを取り付ける開き戸が前記開き戸Ｄより扉厚さが一段厚い開き戸Ｄ´である場合（図１３参照）、この扉厚さＴ２にシリンダ錠１５のシリンダ長Ｃ２を一致させるために、図６（Ｂ）に示す如く、シリンダ２６の端面２６ａに重ねて連結したときにシリンダ長が開き戸Ｄ´の扉厚さＴ２と一致するようなカラー厚さｔ２に形成した、他のアジャストカラー５０を備える。また、アジャストカラー５０をシリンダ２６の端面２６ａに重ねて連結するとき、基端部３９ａがシリンダ２６内でプラグ２８の矩形穴部２８ａに係合する一方、先端部３９ｂがカラー中心穴３２と嵌合し、そのカラー中心穴３２の開口にカム係合穴３１の開口が一致するような棒長さＬ２に形成した、他のジョイント棒３９を備える。そして、開き戸Ｄ・Ｄ´の扉厚さＴ１・Ｔ２の違いに応じて、それぞれカラー厚さｔ１・ｔ２と棒長さＬ１・Ｌ２のアジャストカラー４０・５０とジョイント棒２９・３９の２組を備え、開き戸Ｄ・Ｄ´の扉厚さＴ１・Ｔ２の違いに合わせて、アジャストカラー４０・５０とそれに対応するジョイント棒２９・３９とを組み替えることにより、シリンダ錠１５のシリンダ長を調整する構成になっている。
【００１７】
更に、ロック制御装置Ｒは、図２および図３に示すように、回転伝達手段３０として、回転伝達カム４５とスライドブロック４６を備える。回転伝達カム４５は、金属製の円板４７を備え、その円板の片面中心に短い角軸４８を立てて固着する一方、他面周縁に沿って平行に一対の係合ピン４９を立てて固着してなる。スライドブロック４６は、樹脂製で、中央部にカム可動用逃げ凹部４６ａを形成すると共に、その逃げ凹部４６ａの四方に凸状部４６ｂ〜４６ｅを形成して前記取付ケースｍ内に長さ方向に摺動可能に収まる形状に成形している。凸状部４６ｂには、その端面から逃げ凹部４６ａ間に軸取付穴５１を設けると共に、厚さ方向に軸取付穴５１と交差する摘み取付用穴５２を設ける。凸状部４６ｂとは反対の凸状部４６ｃには、その端面から逃げ凹部４６ａへ向けてばね保持穴５３を設ける。そして、凸状部４６ｄおよび凸状部４６ｅには、それぞれ前記ストッパ用スタッド２３と対応させて逃げ穴５４を横長に設けた形状になっている。なお、デッドボルト２５は、一端に摘み取付用の雌ねじ穴５６が径方向にあけて螺設されている。
【００１８】
そこで、ロック制御装置Ｒでは、スライドブロック４６を、図３に示すように、取付ケースｍのケース本体１８内にカム可動用逃げ凹部４６ａを上向きにして嵌め入れ、逃げ穴５４にストッパ用スタッド２３を係合させて、凸状部４６ｂの軸取付穴５１にデッドボルト２５を挿入する。更にデッドボルト２５の摘み取付用雌ねじ穴５６を摘み取付用穴５２に一致させてから、逃げ穴２２から摘み取付用穴５２を通して摘み取付用雌ねじ穴５６にねじ軸部５５ａを捩じ込んでボルト操作用摘み５５を取り付ける。一方、ばね保持穴５３にばね一端を入れて付勢ばね３５を、スライドブロック４６と前側板部１８ｃ間に押し込んで配置し、付勢ばね３５でスライドブロック４６を常時付勢し、凸状部４６ｂが切欠き穴２１に嵌り込んでデッドボルト２５がロック位置に突出した状態で保持すると共に、逃げ穴５４の片側穴縁をストッパ用スタッド２３に押し当ててスライドブロック４６を止めて保持する。また、カム可動用逃げ凹部４６ａに係合ピン４９を係合させて回転伝達カム４５を配設する。他方、カバープレート１９には、軸挿通穴１９ａに、ジョイント棒２９のカム係合穴３１の開口を合わせて、アジャストカラー４０をねじ止めしてシリンダ錠１５を立設する。そして、ジョイント棒２９のカム係合穴３１に回転伝達用カム４５の角軸４８を嵌合させてから、カバープレート１９をケース本体１８に被せてねじ止めし、図４に示すようにロック制御装置Ｒを組み立ててなる。
【００１９】
なお、ロック制御装置Ｒにおいて、専用の鍵棒２０は、図２に示すように軸部２０ａが細径な丸軸状で、その軸部２０ａの先端側をシリンダ錠１５の内部の鍵違い構造に対応する合鍵形状に成形してなる。
【００２０】
従って、ロック制御装置Ｒでは、この専用の鍵棒２０を、図７〜図９に示すように、鍵穴１６に差し込んでシリンダ錠１５内で矢示する正方向へ９０度回転すると、前記ピンタンブラー２７が動いてプラグ２８がジョイント棒２９と一体に回動する。すると、回転伝達用カム４５が付勢ばね３５を圧縮しながら回動し、この回転伝達用カム４５の回動に従って係合ピン４９でスライドブロック４６が付勢ばね３５に抗して取付ケースｍ内で摺動し、デッドボルト２５を切欠き穴２１から突出したロック位置から取付ケースｍ内のロック解除位置へ引き込む構造になっている。他方、このときに鍵棒２０から手を離すと、付勢ばね３５のばね付勢力が働いてスライドブロック４６が押し出されて回転伝達用カム４５を逆方向へ回動する。すると同時に、図１０〜図１２に示すように、鍵棒２０が前記プラグ２２と一体に自動的にシリンダ錠１５内で逆方向へ９０度回転する一方、デッドボルト２５が押し出されて切欠き穴２１からロック位置へ突出する構造になっている。
【００２１】
そこで、上述したロック制御装置Ｒは、図１に示すように、鍵操作用小穴１４の位置において開き戸Ｄの内側に取り付ける。そして、シリンダ錠１５を、開き戸Ｄに開いた取付穴（図示省略）に挿入し、鍵穴１６を鍵操作用小穴１４に一致させた状態で、取付ケースｍを開き戸Ｄに止めネジで固定する。
【００２２】
さて、以上のような構成の本発明の施解錠機構において、まず点検口の外側から、開いた開き戸Ｄを閉じて施錠する場合は、開き戸Ｄの鍵操作用小穴１４から、鍵棒２０を、鍵穴１６に差し込んでシリンダ錠１５内で正方向へ９０度回転し、デッドボルト２５を前記付勢ばね３５に抗していったん取付ケースｍ内のロック解除位置へ引き込んでから、デッドボルト２５を引き込み状態のまま、図１（Ａ）に示すように開き戸Ｄを閉止し、しかる後、鍵棒２０から手を離す。すると、鍵棒２０が自動的にシリンダ錠１５内で逆方向へ９０度回転すると同時に、デッドボルト２５が前記付勢ばね３５のばね付勢力で自動的に押し出されてロック位置へ突出し、間柱Ｐに取り付けたＬ型のボルト掛止具６０に係止する。そして、鍵棒２０をシリンダ錠１５の鍵穴１６から抜き取って施錠し、開き戸Ｄをロックする。
【００２３】
一方、点検口の外側から、施錠した開き戸Ｄを解錠して開ける場合は、同様に、開き戸Ｄの鍵操作用小穴１４から、鍵棒２０を鍵穴１６に差し込んでシリンダ錠１５内で正方向へ９０度回転し、デッドボルト２５をいったん取付ケースｍ内のロック解除位置へ引き込んで、図１（Ｂ）に示すようにデッドボルト２５の掛け止めをボルト掛止具６０から外してから、デッドボルト２５を引き込み状態のまま開き戸Ｄを開ける。
【００２４】
さて今度は、点検口の内側から、開いた開き戸Ｄを閉じて施錠する場合は、ボルト操作用摘み５５を摘んで、逃げ穴２２内で長さ方向一側へ付勢ばね３５に抗し移動操作してデッドボルト２５をいったん取付ケースｍ内のロック解除位置へ引き込んでから、デッドボルト２５を引き込み状態のまま、開き戸Ｄを閉止する。しかる後、ボルト操作用摘み５５から手を離すと、デッドボルト２５が付勢ばね３５のばね付勢力で自動的に押し戻されて元のロック位置へ突出し、Ｌ型のボルト掛止具６０に係止して開き戸Ｄが施錠される。
【００２５】
同様に点検口の内側から、反対に、施錠した開き戸Ｄを解錠して開ける場合は、ボルト操作用摘み５５を摘んで、逃げ穴２２内で長さ方向一側へ付勢ばね３５に抗して移動し、デッドボルト２５をいったん取付ケースｍ内のロック解除位置へ引き込んでデッドボルト２５の掛け止めをボルト掛止具６０から外してから、デッドボルト２５を引き込み状態のまま開き戸Ｄを開放する。
【００２６】
ところで、本発明は、ロック制御装置Ｒを取り付けるときに、図１３に示すように、取付対象の開き戸Ｄ´が図１で示した開き戸Ｄより扉厚さＴ２が一段厚い場合に、その扉厚さの違いに合わせて、図６（Ａ）に示すアジャストカラー４０とそれに対応するジョイント棒２９に代え、それぞれ図６（Ｂ）に示すように一段厚いアジャストカラー５０とそれに対応して一段長いジョイント棒３９に組み替えて、シリンダ錠１５のシリンダ長を長く調整する。その場合、ロック制御装置Ｒには、ジョイント棒３９の基端部３９ａを同じシリンダ２６内でプラグ２８の矩形穴部２８ａに係合させる一方、先端部３９ｂをカラー中心穴３２に嵌合させてアジャストカラー５０をシリンダ２６の端面２６ａ上に重ねて連結する。そうすると、ロック制御装置Ｒは、図１３に示すように、シリンダ錠１５を、鍵操作用小穴１４の位置で一段厚い開き戸Ｄ´に挿設して取り付けたときでも、シリンダ錠１５の鍵穴１６のあいた端面が開き戸Ｄ´の外装面と一致した状態でほぼ面一に組み付けられる。
【００２７】
なお、上述した図示実施に形態では、開き戸の２つの扉厚さの違いに応じてジョイント棒とアジャストカラーをそれぞれ棒長さとカラー厚さを違えて２組備えたが、開き戸の扉厚さが更に２つ以上異なる場合に備えて、その違いに応じてそれぞれ棒長さとカラー厚さを違えて２組以上備え、開き戸の扉厚さの違いに合わせてアジャストカラーとそれに対応するジョイント棒を組み替えてシリンダ錠のシリンダ長を更に多段に調整する構成にすることもできる。
【００２８】
また、上述した図示実施に形態では、ロック制御装置Ｒに備える錠杆が鍵棒２０の回転に基づいて直線移動するデッドボルト２５であったが、本発明では、錠杆としてロックレバーを用い、該ロックレバーを鍵棒の回転に基づいて回動して開き戸を施解錠するように構成することもできる。
【図面の簡単な説明】
【００２９】
【図１】（Ａ）は本発明に係る開き戸の施解錠機構を適用した壁体を開き戸の閉止状態において示し、同図（Ｂ）は開き戸の半開き状態において示す平面図である。
【図２】ロック制御装置の分解斜視図である。
【図３】ロック制御装置を、取付ケースの本体ケースとカバープレートに取り付けたロック構成部品に分けて示す斜視図である。
【図４】ロック制御装置の組立斜視図である。
【図５】ロック制御装置に備えたシリンダ錠の内部構造を示す縦断面図である。
【図６】（Ａ）・（Ｂ）はカラー厚さと棒長さのそれぞれ違うアジャストカラーとジョイント棒に組み替える状態を示すシリンダ錠の分解斜視図である。
【図７】ロック制御装置を、シリンダ錠を鍵棒で解錠した状態において示す斜視図である。
【図８】ロック制御装置のシリンダ錠を鍵棒で解錠した状態をカバープレートの取外し状態において示す平面図である。
【図９】図７とは向きを違えて、ロック制御装置を、シリンダ錠を鍵棒で解錠した状態において示す斜視図である。
【図１０】ロック制御装置を、シリンダ錠を鍵棒で施錠した状態において示す斜視図である。
【図１１】ロック制御装置のシリンダ錠を鍵棒で施錠した状態をカバープレートの取外し状態において示す平面図である。
【図１２】図１０とは向きを違えて、ロック制御装置を、シリンダ錠を鍵棒で施錠した状態において示す斜視図である。
【図１３】（Ａ）は一段厚さの厚い開き戸の施解錠機構を適用した壁体を開き戸の閉止状態において示し、同図（Ｂ）は同じ開き戸の半開き状態において示す平面図である。
【符号の説明】
【００３０】
Ｄ                開き戸
Ｒ                ロック制御装置
Ｓ                開口部
Ｗ                壁体
ｗ１・ｗ２・ｗ３  壁面パネル
１４              鍵操作用の小穴
１５              シリンダ錠
１６              鍵穴
２０              鍵棒
２５              デッドボルト（錠杆）
２６              シリンダ
２８              プラグ
２９・３９        ジョイント棒
４０・５０        アジャストカラー
３０              回転伝達手段
４５              回転伝達カム
４６              スライドブロック
【図１】
2007120139.tif 000003
【図２】
2007120139.tif 000004
【図３】
2007120139.tif 000005
【図４】
2007120139.tif 000006
【図５】
2007120139.tif 000007
【図６】
2007120139.tif 000008
【図７】
2007120139.tif 000009
【図８】
2007120139.tif 000010
【図９】
2007120139.tif 000011
【図１０】
2007120139.tif 000012
【図１１】
2007120139.tif 000013
【図１２】
2007120139.tif 000014
【図１３】
2007120139.tif 000015